(57)【要約】【課題】  無線通信が可能な無線移動端末間の距離が限定される場合に、未接続の無線移動端末が他の無線移動端末と接続するまでの無線移動端末の電池電源の電力消費を低減することができる無線データ通信方法及び無線移動端末を提供することにある。【解決手段】  第１の無線移動端末が、他の第２の無線移動端末とのデータ通信開始前において、無線通信を停止するパワーダウンと接続待ち信号送信とを繰り返す接続待ち信号送信期間と、前記第２の無線移動端末から接続待ち信号、又は、接続要求信号を受信する接続待ち受信期間とを交互に繰り返す。【選択図】  図３
2005051618.tif 000002
【特許請求の範囲】
【請求項１】
第１の無線移動端末が、
他の第２の無線移動端末とのデータ通信開始前において、無線通信を停止するパワーダウンと接続待ち信号送信とを繰り返す接続待ち信号送信期間と、前記第２の無線移動端末から接続待ち信号、又は、接続要求信号を受信する接続待ち受信期間とを交互に繰り返す
ことを特徴とする無線データ通信方法。
【請求項２】
前記接続待ち受信期間に接続待ち信号を受信した場合、前記第１の無線移動端末は、接続要求信号を繰り返し送信するとともに、接続要求応答信号の受信を待つ
ことを特徴とする請求項１に記載の無線データ通信方法。
【請求項３】
前記接続待ち受信期間に接続要求信号を受信した場合、前記第１の無線移動端末は、接続要求応答信号を送信する
ことを特徴とする請求項１に記載の無線データ通信方法。
【請求項４】
前記第２の無線移動端末と未接続である接続待ち状態において、前記第１の無線移動端末は、
無線通信を停止する接続待ちパワーダウン状態と、接続待ち信号を送信する接続待ち信号送信状態とを交互に繰り返す接続待ち送信状態、
前記第２の無線移動端末から接続待ち信号、又は、接続要求信号を受信する接続待ち受信状態、
又は、
前記第２の無線移動端末へ接続要求を行う接続要求送信状態
のいずれかの状態に属する
ことを特徴とする請求項１から請求項３のいずれかの項に記載の無線データ通信方法。
【請求項５】
前記第１の無線移動端末は、
前記接続待ち送信状態において、
接続待ちパワーダウン時間Ｔｄの間、無線通信を停止する接続待ちパワーダウン状態と、接続待ち信号を送信する接続待ち信号送信状態とを、接続待ち時間Ｔｗの間、交互に繰り返した後、接続待ち受信状態に遷移し、
前記接続待ち受信状態において、
前記接続待ち信号を受信した場合、前記第２の無線移動端末へ接続要求を行う接続要求送信状態に遷移し、
前記接続要求信号を受信した場合、前記第２の無線移動端末へ接続要求応答信号を送信し、前記第２の無線移動端末とデータ通信を行うデータ通信状態に遷移し、
前記接続待ち受信状態への遷移から接続待ち信号受信時間Ｔｒ(ただし、Ｔｄ＜Ｔｒ)を経過後、接続待ち送信状態に遷移し、
前記接続要求送信状態において、
前記第２の無線移動端末に接続要求信号を送信する接続要求信号送信状態と、接続要求応答信号受信時間Ｔｓ（ただし、Ｔｓ＜Ｔｒ）の間、前記第２の無線移動端末が送信した接続要求応答信号の受信を待つ接続要求応答信号受信状態とを交互に繰り返し、前記接続要求応答信号を受信した場合、データ通信状態に遷移し、
前記接続要求送信状態への遷移から接続要求応答信号待ち時間Ｔｕ(ただし、Ｔｗ＜Ｔｕ)を経過後、前記接続待ち送信状態、もしくは、前記接続待ち受信状態に遷移する
ことを特徴とする請求項１から請求項４のいずれかの項に記載の無線データ通信方法。
【請求項６】
前記接続待ち時間Ｔｗ、又は、前記接続待ちパワーダウン時間Ｔｄは、所定の時間範囲内において、ランダムに設定される
ことを特徴とする請求項５に記載の無線データ通信方法。
【請求項７】
前記接続要求応答信号受信時間Ｔｓは、所定の時間範囲内において、ランダムに設定される
ことを特徴とする請求項５に記載の無線データ通信方法。
【請求項８】
前記第１の無線移動端末は、
前記接続待ち信号送信状態において、
キャリアセンス時間Ｔｔに他の無線通信が行われている場合、接続待ち信号を送信せず、他の無線通信が行われていなかった場合、接続待ち信号を送信する
ことを特徴とする請求項５に記載の無線データ通信方法。
【請求項９】
前記第１の無線移動端末は、
前記接続要求信号送信状態において、
キャリアセンス時間Ｔｔに他の無線通信が行われている場合、接続要求信号を送信せず、他の無線通信が行われていなかった場合、接続要求信号を送信する
ことを特徴とする請求項５に記載の無線データ通信方法。
【請求項１０】
他の無線移動端末とのデータ通信開始前において、
無線通信を停止するパワーダウンと接続待ち信号送信とを繰り返す接続待ち信号送信期間と、前記他の無線移動端末から接続待ち信号、又は、接続要求信号を受信する接続待ち受信期間とを交互に繰り返す
ことを特徴とする無線移動端末。
【請求項１１】
前記接続待ち受信期間に接続待ち信号を受信した場合、接続要求信号を繰り返し送信するとともに、接続要求応答信号の受信を待つ
ことを特徴とする請求項１０に記載の無線移動端末。
【請求項１２】
前記接続待ち受信期間に接続要求信号を受信した場合、接続要求応答信号を送信する
ことを特徴とする請求項１０に記載の無線移動端末。
【請求項１３】
前記他の無線移動端末と未接続である接続待ち状態において、
無線通信を停止する接続待ちパワーダウン状態と、接続待ち信号を送信する接続待ち信号送信状態とを交互に繰り返す接続待ち送信状態、
前記他の無線移動端末から接続待ち信号、又は、接続要求信号を受信する接続待ち受信状態、
又は、
前記他の無線移動端末へ接続要求を行う接続要求送信状態
のいずれかの状態に属する
ことを特徴とする請求項１０から請求項１２のいずれかの項に記載の無線移動端末。
【請求項１４】
前記接続待ち送信状態において、
接続待ちパワーダウン時間Ｔｄの間、無線通信を停止する接続待ちパワーダウン状態と、接続待ち信号を送信する接続待ち信号送信状態とを交互に繰り返した後、接続待ち受信状態に遷移し、
前記接続待ち受信状態において、
前記接続待ち信号を受信した場合、前記他の無線移動端末へ接続要求を行う接続要求送信状態に遷移し、
前記接続要求信号を受信した場合、前記他の無線移動端末へ接続要求応答信号を送信し、前記他の無線移動端末とデータ通信を行うデータ通信状態に遷移し、
前記接続待ち受信状態への遷移から接続待ち信号受信時間Ｔｒ(ただし、Ｔｄ＜Ｔｒ)を経過後、接続待ち送信状態に遷移し、
前記接続要求送信状態において、
前記他の無線移動端末に接続要求信号を送信する接続要求信号送信状態と、接続要求応答信号受信時間Ｔｓ(ただし、Ｔｓ＜Ｔｒ)の間、前記他の無線移動端末が送信した接続要求応答信号の受信を待つ接続要求応答信号受信状態とを交互に繰り返し、前記接続要求応答信号を受信した場合、データ通信状態に遷移し、
前記接続要求送信状態への遷移から接続要求応答信号待ち時間Ｔｕ(ただし、Ｔｗ＜Ｔｕ)を経過後、前記接続待ち送信状態、もしくは、前記接続待ち受信状態に遷移する
ことを特徴とする請求項１０から請求項１３のいずれかの項に記載の無線移動端末。
【請求項１５】
前記接続待ち時間Ｔｗ、又は、前記接続待ちパワーダウン時間Ｔｄは、所定の時間範囲内において、ランダムに設定される
ことを特徴とする請求項１４に記載の無線移動端末。
【請求項１６】
前記接続要求応答信号受信時間Ｔｓは、所定の時間範囲内において、ランダムに設定される
ことを特徴とする請求項１４に記載の無線移動端末。
【請求項１７】
前記接続待ち信号送信状態において、
キャリアセンス時間Ｔｔに他の無線通信が行われている場合、接続待ち信号を送信せず、他の無線通信が行われていなかった場合、接続待ち信号を送信する
ことを特徴とする請求項１４に記載の無線移動端末。
【請求項１８】
前記接続要求信号送信状態において、
キャリアセンス時間Ｔｔに他の無線通信が行われている場合、接続要求信号を送信せず、他の無線通信が行われていなかった場合、接続要求信号を送信する
ことを特徴とする請求項１４に記載の無線移動端末。
【発明の詳細な説明】
【技術分野】
【０００１】
本発明は、電池電源で動作し携帯して移動することが可能な無線ＬＡＮ通信等の無線データ通信を行う携帯情報端末等の無線移動端末間での無線データ通信方法及び無線移動端末に関し、特に、無線通信が可能な無線移動端末間の距離が限定される場合に、未接続の無線移動端末が他の無線移動端末と接続するまでの無線移動端末の電池電源の電力消費を低減する無線データ通信方法及び無線移動端末に関する。
【背景技術】
【０００２】
従来、電池電源で動作し携帯して移動することが可能な無線ＬＡＮ通信等の無線データ通信を行う携帯情報端末等の子機が、イーサネット（登録商標）などの有線ネットワークに接続された親機と無線データ通信を行う場合において、通信機能の低下を最小限に抑えつつ、消費電力を削減するパワーマネージメント方式が知られている。例えば、先行技術文献１には、サスペンド／レジューム機能を有するＣＰＵ並びにＲＡＭ、電源、ＣＰＵにサスペンド／レジュームを指示するためのスイッチ及び無線ＬＡＮ通信用ＬＳＩを備える無線ＬＡＮ端末のためのパワーマネージメント方式について記載されている。
【０００３】
この発明によれば、無線ＬＡＮ端末の移動に伴って無線ＬＡＮ端末が無線ＬＡＮ通信用ＬＳＩを介して通信を行う相手無線ＬＡＮブリッジを変更するローミング処理を行うためのローミング処理手段を設けることで、ＣＰＵがサスペンド中であるときに、無線ＬＡＮ通信用ＬＳＩとローミング処理手段は電源供給により動作を保ち、ＣＰＵがサスペンド中であるときに、ローミング処理手段がローミング処理を行う。
このため、ＣＰＵがサスペンド状態のままでもローミング処理が実行できる。
【特許文献１】特許第３３３８８１８号公報
【発明の開示】
【発明が解決しようとする課題】
【０００４】
従来例は、無線ＬＡＮブリッジに接続しなおす、ローミング処理において、無線移動端末のパワーマネージメントを行う方法を示している。
しかしながら、待ち受け状態において、無線移動端末は無線ＬＡＮブリッジが定期的にブロードキャスト送信するビーコン信号を受信するまで受信回路に電力を継続して供給する必要がある。
すなわち、待ち受け状態では通信を行っていないにも関わらず、受信回路において電力を消費し、電池電源を消耗するという問題があった。
さらに、通信相手が常時電源供給を受けている無線ＬＡＮブリッジではなく、電池電源の消耗が問題となる同じ無線移動端末である場合、２者間の通信において一方の電力消費を考慮しない無線ＬＡＮブリッジと無線移動端末という非対称な通信プロトコルをそのまま採用することはできないという問題があった。
【０００５】
本発明は、このような事情を考慮してなされたものであり、その目的は、無線通信が可能な無線移動端末間の距離が限定される場合に、未接続の無線移動端末が他の無線移動端末と接続するまでの無線移動端末の電池電源の電力消費を低減することができる無線データ通信方法及び無線移動端末を提供することにある。
【課題を解決するための手段】
【０００６】
この発明は上記の課題を解決すべくなされたもので、本発明は、第１の無線移動端末が、他の第２の無線移動端末とのデータ通信開始前において、無線通信を停止するパワーダウンと接続待ち信号送信とを繰り返す接続待ち信号送信期間と、前記第２の無線移動端末から接続待ち信号、又は、接続要求信号を受信する接続待ち受信期間とを交互に繰り返すことを特徴とする。
【０００７】
また、本発明は、前記接続待ち受信期間に接続待ち信号を受信した場合、前記第１の無線移動端末は、接続要求信号を繰り返し送信するとともに、接続要求応答信号の受信を待つことを特徴とする。
【０００８】
また、本発明は、前記接続待ち受信期間に接続要求信号を受信した場合、前記第１の無線移動端末は、接続要求応答信号を送信することを特徴とする。
【０００９】
また、本発明は、前記第２の無線移動端末と未接続である接続待ち状態において、前記第１の無線移動端末は、無線通信を停止する接続待ちパワーダウン状態と、接続待ち信号を送信する接続待ち信号送信状態とを交互に繰り返す接続待ち送信状態、前記第２の無線移動端末から接続待ち信号、又は、接続要求信号を受信する接続待ち受信状態、又は、前記第２の無線移動端末へ接続要求を行う接続要求送信状態のいずれかの状態に属することを特徴とする。
【００１０】
また、本発明は、前記第１の無線移動端末は、前記接続待ち送信状態において、接続待ちパワーダウン時間Ｔｄの間、無線通信を停止する接続待ちパワーダウン状態と、接続待ち信号を送信する接続待ち信号送信状態とを、接続待ち時間Ｔｗの間、交互に繰り返した後、接続待ち受信状態に遷移し、前記接続待ち受信状態において、前記接続待ち信号を受信した場合、前記第２の無線移動端末へ接続要求を行う接続要求送信状態に遷移し、前記接続要求信号を受信した場合、前記第２の無線移動端末へ接続要求応答信号を送信し、前記第２の無線移動端末とデータ通信を行うデータ通信状態に遷移し、前記接続待ち受信状態への遷移から接続待ち信号受信時間Ｔｒ(ただし、Ｔｄ＜Ｔｒ)を経過後、接続待ち送信状態に遷移し、前記接続要求送信状態において、前記第２の無線移動端末に接続要求信号を送信する接続要求信号送信状態と、接続要求応答信号受信時間Ｔｓ（ただし、Ｔｓ＜Ｔｒ）の間、前記第２の無線移動端末が送信した接続要求応答信号の受信を待つ接続要求応答信号受信状態とを交互に繰り返し、前記接続要求応答信号を受信した場合、データ通信状態に遷移し、前記接続要求送信状態への遷移から接続要求応答信号待ち時間Ｔｕ(ただし、Ｔｗ＜Ｔｕ)を経過後、前記接続待ち送信状態、もしくは、前記接続待ち受信状態に遷移することを特徴とする。
【００１１】
また、本発明は、前記接続待ち時間Ｔｗ、又は、前記接続待ちパワーダウン時間Ｔｄは、所定の時間範囲内において、ランダムに設定されることを特徴とする。
【００１２】
また、本発明は、前記接続要求応答信号受信時間Ｔｓは、所定の時間範囲内において、ランダムに設定されることを特徴とする。
【００１３】
また、本発明は、前記第１の無線移動端末は、前記接続待ち信号送信状態において、キャリアセンス時間Ｔｔに他の無線通信が行われている場合、接続待ち信号を送信せず、他の無線通信が行われていなかった場合、接続待ち信号を送信することを特徴とする。
【００１４】
また、本発明は、前記第１の無線移動端末は、前記接続要求信号送信状態において、キャリアセンス時間Ｔｔに他の無線通信が行われている場合、接続要求信号を送信せず、他の無線通信が行われていなかった場合、接続要求信号を送信することを特徴とする。
【００１５】
また、本発明は、他の無線移動端末とのデータ通信開始前において、無線通信を停止するパワーダウンと接続待ち信号送信とを繰り返す接続待ち信号送信期間と、前記他の無線移動端末から接続待ち信号、又は、接続要求信号を受信する接続待ち受信期間とを交互に繰り返すことを特徴とする。
【００１６】
また、本発明は、前記接続待ち受信期間に接続待ち信号を受信した場合、接続要求信号を繰り返し送信するとともに、接続要求応答信号の受信を待つことを特徴とする。
【００１７】
また、本発明は、前記接続待ち受信期間に接続要求信号を受信した場合、接続要求応答信号を送信することを特徴とする。
【００１８】
また、本発明は、前記他の無線移動端末と未接続である接続待ち状態において、無線通信を停止する接続待ちパワーダウン状態と、接続待ち信号を送信する接続待ち信号送信状態とを交互に繰り返す接続待ち送信状態、前記他の無線移動端末から接続待ち信号、又は、接続要求信号を受信する接続待ち受信状態、又は、前記他の無線移動端末へ接続要求を行う接続要求送信状態のいずれかの状態に属することを特徴とする。
【００１９】
また、本発明は、前記接続待ち送信状態において、接続待ちパワーダウン時間Ｔｄの間、無線通信を停止する接続待ちパワーダウン状態と、接続待ち信号を送信する接続待ち信号送信状態とを交互に繰り返した後、接続待ち受信状態に遷移し、前記接続待ち受信状態において、前記接続待ち信号を受信した場合、前記他の無線移動端末へ接続要求を行う接続要求送信状態に遷移し、前記接続要求信号を受信した場合、前記他の無線移動端末へ接続要求応答信号を送信し、前記他の無線移動端末とデータ通信を行うデータ通信状態に遷移し、前記接続待ち受信状態への遷移から接続待ち信号受信時間Ｔｒ(ただし、Ｔｄ＜Ｔｒ)を経過後、接続待ち送信状態に遷移し、前記接続要求送信状態において、前記他の無線移動端末に接続要求信号を送信する接続要求信号送信状態と、接続要求応答信号受信時間Ｔｓ(ただし、Ｔｓ＜Ｔｒ)の間、前記他の無線移動端末が送信した接続要求応答信号の受信を待つ接続要求応答信号受信状態とを交互に繰り返し、前記接続要求応答信号を受信した場合、データ通信状態に遷移し、前記接続要求送信状態への遷移から接続要求応答信号待ち時間Ｔｕ(ただし、Ｔｗ＜Ｔｕ)を経過後、前記接続待ち送信状態、もしくは、前記接続待ち受信状態に遷移することを特徴とする。
【００２０】
また、本発明は、前記接続待ち時間Ｔｗ、又は、前記接続待ちパワーダウン時間Ｔｄは、所定の時間範囲内において、ランダムに設定されることを特徴とする。
【００２１】
また、本発明は、前記接続要求応答信号受信時間Ｔｓは、所定の時間範囲内において、ランダムに設定されることを特徴とする。
【００２２】
また、本発明は、前記接続待ち信号送信状態において、キャリアセンス時間Ｔｔに他の無線通信が行われている場合、接続待ち信号を送信せず、他の無線通信が行われていなかった場合、接続待ち信号を送信することを特徴とする。
【００２３】
また、本発明は、前記接続要求信号送信状態において、キャリアセンス時間Ｔｔに他の無線通信が行われている場合、接続要求信号を送信せず、他の無線通信が行われていなかった場合、接続要求信号を送信することを特徴とする。
【発明の効果】
【００２４】
以上説明したように、本発明によれば、第１の無線移動端末が、他の第２の無線移動端末とのデータ通信開始前において、無線通信を停止するパワーダウンと接続待ち信号送信とを繰り返す接続待ち信号送信期間と、第２の無線移動端末から接続待ち信号、又は、接続要求信号を受信する接続待ち受信期間とを交互に繰り返す。
したがって、無線通信が可能な無線移動端末間の距離が限定される場合に、未接続の無線移動端末が他の無線移動端末と接続するまでの無線移動端末の電池電源の電力消費を低減することができる効果が得られる。
【００２５】
また、本発明によれば、第１の無線移動端末は、接続待ち送信状態において、接続待ちパワーダウン時間Ｔｄの間、無線通信を停止する接続待ちパワーダウン状態と、接続待ち信号を送信する接続待ち信号送信状態とを、接続待ち時間Ｔｗの間、交互に繰り返した後、接続待ち受信状態に遷移し、接続待ち受信状態において、接続待ち信号を受信した場合、第２の無線移動端末へ接続要求を行う接続要求送信状態に遷移し、接続要求信号を受信した場合、第２の無線移動端末へ接続要求応答信号を送信し、第２の無線移動端末とデータ通信を行うデータ通信状態に遷移し、接続待ち受信状態への遷移から接続待ち信号受信時間Ｔｒ(ただし、Ｔｄ＜Ｔｒ)を経過後、接続待ち送信状態に遷移し、接続要求送信状態において、第２の無線移動端末に接続要求信号を送信する接続要求信号送信状態と、接続要求応答信号受信時間Ｔｓ（ただし、Ｔｓ＜Ｔｒ）の間、第２の無線移動端末が送信した接続要求応答信号の受信を待つ接続要求応答信号受信状態とを交互に繰り返し、接続要求応答信号を受信した場合、データ通信状態に遷移し、接続要求送信状態への遷移から接続要求応答信号待ち時間Ｔｕ(ただし、Ｔｗ＜Ｔｕ)を経過後、接続待ち送信状態、もしくは、前記接続待ち受信状態に遷移する。
したがって、通信を行う２つの無線移動端末において、先に相手を見つけた無線移動端末と、他方の無線移動端末とで、動作が異なる期間が、短時間であるため、従来の無線ＬＡＮブリッジと無線移動端末との関係とは異なって、ほとんど消費電力の差は生じず、どちらも消費電力を低減することができる効果が得られる。
【００２６】
また、本発明によれば、接続待ち時間Ｔｗ、又は、接続待ちパワーダウン時間Ｔｄは、所定の時間範囲内において、ランダムに設定される。
したがって、Ｔｗ値をランダムとすることによって、２つの無線移動端末が無線通信可能な範囲に存在する場合において、接続待ち信号受信期間が継続して同じタイミングになり、互いに接続待ち信号の受信が不可能となって接続できなくなることを防止することができる効果が得られる。
Ｔｄ値をランダムとすることによって、１つの無線移動端末から無線通信可能な範囲に複数の無線移動端末が存在する場合に、各無線移動端末が接続待ち信号を送信するタイミングが継続して一致することを防止することができる効果が得られる。
【００２７】
また、本発明によれば、接続要求応答信号受信時間Ｔｓは、所定の時間範囲内において、ランダムに設定される。
したがって、接続要求応答信号受信時間Ｔｓの値をランダムとすることによって、１つの無線移動端末から無線通信可能な範囲に複数の無線移動端末が存在する場合に、各無線移動端末が接続要求信号を送信するタイミングが継続して一致することを防止することができる効果が得られる。
【００２８】
また、本発明によれば、第１の無線移動端末は、接続待ち信号送信状態において、キャリアセンス時間Ｔｔに他の無線通信が行われている場合、接続待ち信号を送信せず、他の無線通信が行われていなかった場合、接続待ち信号を送信する。
したがって、キャリアセンス後に、接続待ち信号のブロードキャスト送信を行うことで、他の無線通信との混信を防止し、複数の無線通信システムの共存を可能とすることが出来る効果が得られる。
【００２９】
また、本発明によれば、第１の無線移動端末は、接続要求信号送信状態において、キャリアセンス時間Ｔｔに他の無線通信が行われている場合、接続要求信号を送信せず、他の無線通信が行われていなかった場合、接続要求信号を送信する
したがって、キャリアセンス後に、接続待ち信号のブロードキャスト送信を行うことで、他の無線通信との混信を防止し、複数の無線通信システムの共存を可能とすることが出来る効果が得られる。
【発明を実施するための最良の形態】
【００３０】
以下、本発明を実施するための最良の形態について説明する。
【実施例１】
【００３１】
以下、図面を参照して、本発明の無線データ通信方法の一実施形態について説明する。図１は、本実施形態の無線データ通信方法を用いて通信を行う無線移動端末１の構成図である。
図１に示すように、無線移動端末１は、無線部１００と、無線信号処理部１１０と、中央処理部１２０と、表示部１３０と、操作部１４０と、記憶部１５０とから構成される。
無線部１００は、他の無線移動端末２、無線信号処理部１１０とのデータ入出力を行う。すなわち、無線部１００は、他の無線移動端末２が放射する無線電波を受信して、無線信号処理部１１０に出力するとともに、無線信号処理部１１０から入力される送信信号を無線電波に変換し、他の無線移動端末２に対して送信する。また、無線部１００は、無線信号処理部１１０から入力されたパワーダウン信号に応じて、無線電波の送受信を停止し、電力消費レベルを低下させる。
【００３２】
無線信号処理部１１０は、無線信号処理に対する処理を行う。すなわち、中央処理部１２０が入出力するデータ信号を無線部１００が入出力する無線データ信号に変換する。
また、無線信号処理部１１０は、無線制御信号（接続要求信号等）を生成・解釈して、無線信号の制御（無線通信の状態遷移判断等）を行う。
また、無線信号処理部１１０は、無線通信の状態に応じて、パワーダヴンを指示するパワーダウン信号を無線部１００に出力する。
【００３３】
中央処理部１２０は、携帯端末としての各種機能を表示部１３０、操作部１４０、記憶部１５０において実現する。また、中央処理部１２０は、無線信号処理部１１０に通信すべきデータの有無を通知する。さらに、中央処理部１２０は、データ通信状態において、無線信号処理部１１０とデータ入出力を行う。
【００３４】
次に、図面を参照して、本実施形態の無線移動端末１の動作について説明する。図２は、本実施形態の無線データ通信方法における無線通信処理が実行される区間を示す説明図である。
今、ユーザにより保持された状態で、無線移動端末１が、地点Ａから地点Ｄに向かって移動するし、同様に、別のユーザにより保持された状態で、無線移動端末２が、地点Ａ’から地点Ｄ’に向かって移動する場合について考える。
地点Ａから地点Ｂに至るまで、無線移動端末１は、他の無線移動端末（この例では、無線移動端末２）との接続を待つ接続待ち状態である。また同様に、地点Ａ’から地点Ｂ’に至るまで、無線移動端末２は、他の無線移動端末（この例では、無線移動端末１）との接続を待つ接続待ち状態である。
【００３５】
そして、無線移動端末１が地点Ｂに至り、無線移動端末２が地点Ｂ’に至ると、互いに通信可能範囲に入る。このとき、無線移動端末１及び無線移動端末２は、互いに接続して、データ通信を開始し、データ通信が完了するまで通信を行う。
一方、無線移動端末１が地点Ｃに至り、無線移動端末２が地点Ｃ’に至ると、互いに通信可能範囲から外れる。この地点に到達するまでに、データ通信を完了しなかった場合、通信断となる。その後、再び他の無線移動端末との接続を待つ接続待ち状態に入る。
【００３６】
図３は、無線移動端末１が地点Ａから地点Ｄへ、無線移動端末２が地点Ａ’から地点Ｄ’へ移動する間における状態遷移及び信号送受信タイミングを示すタイムチャートである。図３において、Ｔｗ、Ｔｄ、Ｔｒ、Ｔｓは、それぞれ
Ｔｗ：接続待ち時間
Ｔｄ：接続待ちパワーダウン時間（ただし、Ｔｄ＜Ｔｗ）
Ｔｒ：接続待ち信号受信時間    （ただし、Ｔｒ＞Ｔｄ）
Ｔｓ：接続要求応答信号受信時間（ただし、Ｔｓ＜Ｔｒ）
を示す。
【００３７】
図３に示すように、無線移動端末１、２は、他の無線移動端末と未接続である接続待ち状態と、接続中の無線移動端末とデータ通信を行うデータ通信状態と、接続中の無線移動端末とデータ通信を休止している通信休止状態とを有しており、接続待ち状態において、接続待ち送信状態、接続待ち受信状態、接続要求送信状態のいずれかの状態に属している。
すなわち、無線移動端末１、２は、データ通信開始前において、まず接続待ち時間Ｔｗのタイムスロットと、接続待ち信号受信時間Ｔｒのタイムスロットとを交互に繰り返す。ここで、接続待ち時間Ｔｗのタイムスロットは、接続待ちパワーダウン時間Ｔｄのタイムスロットと、接続待ち信号送信状態のタイムスロットとをペアとした複数のタイムスロット（図３に示す例では５つ）から構成される。
【００３８】
接続待ちパワーダウン時間Ｔｄのタイムスロットにおいて、無線移動端末１、２は、無線通信を停止する、つまり、無線信号処理部１１０が無線部１００にパワーダウン信号を出力することで、パワーダウンして、消費電力を低減する。
また、接続待ち信号送信状態のタイムスロットにおいて、無線移動端末１、２は、接続待ち信号をブロードキャスト送信する。
【００３９】
また、接続待ち信号受信時間Ｔｒのタイムスロット（接続待ち受信状態のタイムスロット）において、無線移動端末１、２は、未接続の他の無線移動端末がブロードキャスト送信した接続待ち信号、または、未接続の他の無線移動端末が無線移動端末１に送信した接続要求信号を受信する。ただし、接続待ち受信状態において、状態遷移時点から接続待ち信号受信時間Ｔｒを経過したとき、無線移動端末１は、再び接続待ち送信状態に遷移する。
この接続待ち信号状態のタイムスロットにおいて、他の無線移動端末からの接続待ち信号を受信したとき、例えば、無線移動端末１は、他の無線移動端末２に接続要求信号を繰り返し送信し、無線移動端末２からの接続要求応答信号の受信を待つ接続要求送信状態に遷移する。
【００４０】
具体的には、無線移動端末１は、図３に示す無線移動端末１のタイムチャートのＡ時点（タイムチャート中央の接続待ち受信状態を参照）において、接続待ち信号を受信すると、接続要求送信状態に遷移する。ここで、接続要求送信状態は、接続要求信号送信状態のタイムスロットと、接続要求応答信号受信状態のタイムスロットとをペアとした複数のタイムスロットから構成される。
接続要求信号送信状態のタイムスロットにおいて、無線移動端末１は、無線移動端末２に接続要求応答信号を送信する。この接続要求応答信号は、図３に示す無線移動端末２のタイムチャートのＢ時点（タイムチャート中央右側の接続待ち受信状態を参照）において、受信される。そして、無線移動端末２は、無線移動端末１からの接続要求信号に対して、接続要求応答信号を送信する（図３に示す無線移動端末２のタイムチャートのＣ時点を参照）。
【００４１】
また、接続要求応答信号受信状態のタイムスロットにおいて、無線移動端末１は、無線移動端末２が無線移動端末１に送信した接続要求信号を受信して、無線移動端末２に接続要求応答信号を送信するとともに、無線移動端末２との行うデータ通信状態に遷移する。ただし、接続要求送信状態において、接続要求送信状態への遷移から接続要求応答信号待ち時間Ｔｕが経過したとき、無線移動端末１は、接続待ち送信状態もしくは接続待ち受信状態に遷移する。
具体的には、無線移動端末１は、接続要求送信状態において、無線移動端末２に接続要求信号を送信する接続要求信号送信状態と、接続要求応答信号受信時間Ｔｓの間、無線移動端末２が送信した接続要求応答信号の受信を待つ接続要求応答信号受信状態とを交互に繰り返す。
そして、無線移動端末２から図３に示す無線移動端末１のタイムチャートのＤ時点において、接続要求応答信号を受信すると、無線移動端末１は、無線移動端末２とのデータ通信状態に遷移する。
【００４２】
図４の（ａ）は、無線移動端末１、２の状態遷移図である。図４において、Ｔｕは、
Ｔｕ：接続要求応答信号待ち時間（ただし、Ｔｕ＞Ｔｗ）
を示す。
上述したように、無線移動端末１、２は、接続待ち状態、データ通信状態、通信休止状態を有している。
接続待ち状態とは、通信すべきデータが存在し、他の無線移動端末と未接続である状態を示す。
また、データ通信状態とは、接続中の無線移動端末とデータ通信を行う状態を示す。
また、通信休止状態とは、通信すべきデータが存在せず、無線通信を停止することによって、電力消費レベルを低下させている状態を示す。
【００４３】
以下、それぞれの状態遷移を発火するトリガイベントについて説明する。
図４に示すように、通信休止状態から接続待ち状態への状態遷移を発火するトリガイベントは、通信データの発生であり、接続待ち状態から通信休止状態への状態遷移を発火するトリガイベントは、通信データの消滅となる。
また、接続待ち状態からデータ通信状態への状態遷移を発火するトリガイベントは、他の無線移動端末との接続確立であり、データ通信状態から接続待ち状態への状態遷移を発火するトリガイベントは、接続中の無線移動端末との接続断の検出となる。
また、データ通信状態から通信休止状態への状態遷移を発火するトリガイベントは、データ通信の完了となる。
【００４４】
図４（ｂ）は、図４（ａ）に示す無線移動端末１、２の接続待ち状態に関する詳細な状態遷移図である。
上述したように、無線移動端末１、２は、接続待ち状態において、さらに、詳細には、接続待ち送信状態、接続待ち受信状態、接続要求送信状態を有している。
接続待ち送信状態は、接続待ちパワーダウン状態と、接続待ち信号送信状態とから構成される。
接続待ちパワーダウン状態において、無線移動端末１、２は、無線通信を停止することによって、電力消費レベルを低下させる。
また、接続待ち信号送信状態において、無線移動端末１、２は、接続待ち信号をブロードキャスト送信する。
接続待ち送信状態において、無線移動端末１、２は、この接続待ちパワーダウン状態と、接続待ち信号送信状態との２つの状態を交互に繰り返し遷移する。
接続待ちパワーダウン状態から接続待ち信号送信状態への状態遷移を発火するトリガイベントは、接続待ちパワーダウン状態への状態遷移時点から接続待ちパワーダウン時間Ｔｄが経過することであり、接続待ち信号送信状態から接続待ちパワーダウン状態への状態遷移を発火するトリガイベントは、接続待ち信号の送信が完了することである。
【００４５】
接続待ち受信状態において、無線移動端末１、２は、未接続の他の無線移動端末がボロードキャスト送信した接続待ち信号、または、未接続の他の無線移動端末が、時無線移動端末に送信した接続要求信号を受信する。
接続要求信号を受信した場合、無線移動端末１、２は、接続要求応答信号を返信後、データ通信状態に遷移する。
【００４６】
接続要求送信状態は、接続要求信号送信状態と、接続要求応答信号受信状態とから構成される。
接続要求信号送信状態において、無線移動端末１、２は、接続待ち信号を送信した無線移動端末に接続要求信号を送信する。
また、接続要求応答信号受信状態において、接続待ち信号を送信した無線移動端末からの接続要求応答信号を受信する。接続要求応答信号を受信した場合、無線移動端末１、２は、接続要求応答信号を返信後、データ通信状態に遷移する。
接続要求送信状態において、無線移動端末１、２は、この接続要求信号送信状態と、接続要求応答信号受信状態との２つの状態を交互に繰り返し遷移する。
接続要求信号送信状態から接続要求応答信号受信状態への状態遷移を発火するトリガイベントは、接続要求信号の送信の完了であり、接続要求応答信号受信状態から接続要求信号送信状態への状態遷移を発火するトリガイベントは、接続要求応答信号受信状態への状態遷移時点から接続要求応答信号時間Ｔｓが経過することである。
【００４７】
接続待ち送信状態から接続待ち受信状態への状態遷移を発火するトリガイベントは、接続待ち時間Ｔｗが経過することであり、接続待ち受信状態から接続待ち送信状態への状態遷移を発火するトリガイベントは、接続待ち受信状態への状態遷移時点から接続待ち信号受信時間Ｔｒが経過することである。
また、接続待ち受信状態から接続要求送信状態への状態遷移を発火するトリガイベントは、接続待ち信号の受信であり、接続要求送信状態から接続待ち受信状態への状態遷移を発火するトリガイベントは、接続要求送信状態への状態遷移時点から接続要求応答信号待ち時間Ｔｕが経過することである。なお、接続要求送信状態への状態遷移時点から接続要求応答信号待ち時間Ｔｕが経過した場合、実装によっては、接続待ち送信状態へ遷移するようにしてもよい。
【００４８】
図５は、接続要求送信状態において、接続要求応答信号待ち時間Ｔｕタイマーが終了し、待ち送信状態へ遷移する場合のフローチャートを示す。図４に示す状態遷移では、接続要求応答信号待ち時間Ｔｕタイマーが終了したとき接続待ち受信状態に遷移するが、図５においては、接続要求応答信号待ち時間Ｔｕタイマーが終了し、待ち送信状態へ遷移する点が異なる。
【００４９】
すなわち、接続待ち送信状態において、無線移動端末１は、まず通信すべきデータが指定されているか否かを検査し（ステップＳ１）、通信すべきデータがあれば（ステップＳ１でＹｅｓ）、接続待ち送信処理を開始する。一方、通信すべきデータがなければ（ステップＳ１でＮｏ）、接続待ち状態から通信休止状態へ遷移する。
接続待ち送信処理を開始すると、無線移動端末１は、無線通信を停止することによって、電力消費レベルを低下させるパワーダウンと、接続待ち信号のブロードキャスト送信を接続待ち時間Ｔｗの間、交互に繰り返す（ステップＳ２）。
【００５０】
接続待ち時間Ｔｗが経過すると、無線移動端末１は、接続待ち受信状態へ遷移するとともに、接続待ち信号受信時間Ｔｒタイマーをセットする（ステップＳ３）。
この接続待ち信号受信時間Ｔｒ内に無線移動端末２より接続要求信号を受信した場合（ステップＳ４でＹｅｓ）、無線移動端末１は、受信した接続要求信号が自無線移動端末１に向けて送信されたものであるか否かを接続要求信号が含む送信先無線移動端末識別情報に基づいて判定する。
そして、当該接続要求信号の送信先無線移動端末識別情報が自無線移動端末１を示す場合、無線移動端末１は、接続要求応答信号送信処理を開始する（ステップＳ５）。すなわち、無線移動端末１は、接続要求信号を送信した無線移動端末２に接続要求応答信号を返信するとともに、接続相手の無線移動端末２とのデータ通信処理を開始する（ステップＳ６）。
【００５１】
また、この接続待ち信号受信時間Ｔｒ内に接続待ち信号を受信した場合（ステップＳ４でＮｏ、ステップＳ７でＹｅｓ）、無線移動端末１は、接続要求応答信号待ち時間Ｔｕタイマーをセットするとともに、接続要求送信処理を開始する（ステップＳ８）。すなわち、無線移動端末１は、接続待ち信号を送信した無線移動端末２への接続要求信号送信と、無線移動端末２からの接続要求応答信号の受信待ちとを交互に繰り返し、接続要求応答信号を受信すると、接続相手の無線移動端末２とのデータ通信処理を開始する（ステップＳ６）。
なお、接続要求応答信号を受信する前に、接続要求応答信号待ち時間Ｔｕが経過した場合、無線移動端末１は、再度、ステップＳ１に戻って、Ｓ１〜Ｓ９のルーチンを繰り返す。
【００５２】
無線移動端末２より接続要求信号及び接続待ち信号を受信せず、未だ接続待ち信号受信時間Ｔｒが経過していない場合、（ステップＳ４、Ｓ７でＮｏ、Ｓ９でＮｏ）、無線移動端末１は、再度、ステップＳ４に戻って、接続要求信号、接続待ち信号の受信を待つ。
一方、無線移動端末２より接続要求信号及び接続待ち信号を受信する前に接続待ち信号受信時間Ｔｒが経過した場合、（ステップＳ４、Ｓ７でＮｏ、Ｓ９でＹｅｓ）、無線移動端末１は、再度、ステップＳ１に戻って、Ｓ１〜Ｓ９のルーチンを繰り返す。
【００５３】
なお、図４のようにＴｕタイマーが終了後、接続待ち受信状態に遷移する場合は、記号※の部分を切って記号＊の部分に結合しなおすフローチャートとなる。すなわち、ステップＳ８において、Ｔｕタイマーが終了後、再度、ステップＳ３に戻って、Ｓ３〜Ｓ９のルーチンを繰り返す。
【００５４】
図６は、接続待ち送信状態における処理過程を示すフローチャートを示す。
接続待ち送信状態において、無線移動端末１は、接続待ち送信処理を開始する。すなわち、無線移動端末１は、まず接続待ち時間Ｔｗタイマーをセットし（ステップＳ１０）、パワーダウン状態値を１にセットして、パワーダウンする（ステップＳ１１）。
パワーダウン状態において、無線移動端末１は、接続待ちパワーダウン時間Ｔｄタイマーをセットし（ステップＳ１２）、接続待ちパワーダウン時間Ｔｄが経過するまでパワーダウンを実施する（ステップＳ１３でＮｏのタイマーループを参照）。
接続待ちパワーダウン時間Ｔｄが経過すると（ステップＳ１３でＹｅｓ）、無線移動端末１は、パワーダウン状態値をリセット（０にセット）して（ステップＳ１４）、パワーダウン状態から復帰し、接続待ち信号送信処理を開始する（ステップＳ１５）。
すなわち、無線移動端末１は、接続待ち信号をブロードキャスト送信する。
そして、接続待ち時間Ｔｗが経過すると（ステップＳ１６でＹｅｓ）、無線移動端末１は、接続待ち送信処理を終了する。一方、ブロードキャスト送信完了後、接続待ち時間Ｔｗが未だ経過していない場合（ステップＳ１６でＮｏ）、無線移動端末１は、再度、ステップＳ１１に戻って、ステップｓ１１〜Ｓ１６のルーチンを繰り返す。
【００５５】
以上のステップＳ１０〜Ｓ１６により、無線移動端末１は、無線通信を停止して電力消費レベルを低下させるパワーダウンと、接続待ち信号のブロードキャスト送信を、接続待ち時間Ｔｗの期間、交互に繰り返す。
【００５６】
図７は、図６に示す接続待ち送信状態における処理過程を示すフローチャートにおいて、接続待ち時間Ｔｗ、接続待ちパワーダウン時間Ｔｄをランダムに設定する場合のフローチャートを示す。
接続待ち送信状態において、無線移動端末１は、接続待ち送信処理を開始する。すなわち、無線移動端末１は、まず予め設定されている最小接続待ち時間Ｔｗｍｉｎから予め設定されている最大接続待ち時間Ｔｗｍａｘ（ただし、Ｔｗｍａｘ＞Ｔｗｍｉｎ）の範囲内でランダムな接続待ち時間Ｔｗの値を生成する（ステップＳ２０）。
そして、無線移動端末１は、生成した接続待ち時間Ｔｗタイマーをセットし（ステップＳ２１）、パワーダウン状態値を１にセットして、パワーダウンする（ステップＳ２２）。
パワーダウン状態において、無線移動端末１は、予め設定されている最小接続待ちパワーダウン時間Ｔｄｍｉｎから予め設定されている最大接続待ちパワーダウン時間Ｔｄｍａｘ（ただし、Ｔｗｍｉｎ＞Ｔｄｍａｘ＞Ｔｄｍｉｎ）の範囲内でランダムな接続待ちパワーダウン時間Ｔｄの値を生成する（ステップＳ２３）。なお、このとき、上述した接続待ち信号受信時間Ｔｒは最大接続待ちパワーダウン時間Ｔｄｍａｘより大きくなるように設定されるものとする。
そして、無線移動端末１は、生成した接続待ちパワーダウン時間Ｔｄタイマーをセットし（ステップＳ２４）、接続待ちパワーダウン時間Ｔｄが経過するまでパワーダウンを実施する（ステップＳ２５でＮｏのタイマーループを参照）。
接続待ちパワーダウン時間Ｔｄが経過すると（ステップＳ２５でＹｅｓ）、無線移動端末１は、パワーダウン状態値をリセット（０にセット）して（ステップＳ２６）、パワーダウン状態から復帰し、接続待ち信号送信処理を開始する（ステップＳ２７）。
すなわち、無線移動端末１は、接続待ち信号をブロードキャスト送信する。
そして、接続待ち時間Ｔｗが経過すると（ステップＳ２８でＹｅｓ）、無線移動端末１は、接続待ち送信処理を終了する。一方、ブロードキャスト送信完了後、接続待ち時間Ｔｗが未だ経過していない場合（ステップＳ２８でＮｏ）、無線移動端末１は、再度、ステップＳ２２に戻って、ステップｓ２２〜Ｓ２８のルーチンを繰り返す。
【００５７】
以上説明したように、本実施形態の無線移動端末１によれば、Ｔｗ値をランダムとすることによって、２つの無線移動端末が無線通信可能な範囲に存在する場合において、接続待ち信号受信期間が継続して同じタイミングになり、互いに接続待ち信号の受信が不可能となって接続できなくなることを防止することができる効果が得られる。
また、本実施形態の無線移動端末１によれば、Ｔｄ値をランダムとすることによって、１つの無線移動端末から無線通信可能な範囲に複数の無線移動端末が存在する場合に、各無線移動端末が接続待ち信号を送信するタイミングが継続して一致することを防止することができる効果が得られる。
なお、Ｔｗ値とＴｄ値のどちらか一方をランダムするようにしてもよい。
【００５８】
図８は、接続待ち信号送信状態における処理過程を示すフローチャートである。
接続待ち信号送信状態において、無線移動端末１は、接続待ち信号送信処理を開始する。すなわち、無線移動端末１は、まずキャリアセンス時間Ｔｔタイマーをセットし（ステップＳ３０）、キャリアセンス時間Ｔｔが経過するまで、無線信号受信の有無を確認（キャリアセンス）する（ステップＳ３１、Ｓ３２でＮｏのタイマーループを参照）。
他の無線通信が行われていることを確認した場合（ステップＳ３１でＹｅｓ）、無線移動端末１は、接続待ち信号のブロードキャスト送信を行わず、接続待ち信号送信処理を終了する。一方、キャリアセンス時間Ｔｔにおいて、他の無線通信が行われていなかった場合（ステップＳ３２でＹｅｓ）、無線移動端末１は、接続待ち信号のブロードキャスト送信を行う。
【００５９】
以上説明したように、本実施形態の無線移動端末１によれば、キャリアセンス後に、接続待ち信号のブロードキャスト送信を行うことで、他の無線通信との混信を防止し、複数の無線通信システムの共存を可能とする。
なお、他の無線通信との確率的な混信を許容する場合は、キャリアセンスしないで、単純に接続待ち信号をブロードキャスト送信してもよい。
【００６０】
また、このフローチャートでは、キャリアセンスによって他に無線通信が行なわれていたと判断された場合、接続待ち信号のブロードキャスト送信は行なわれないが、図８に示す記号※の部分を切って記号＊の部分に結合しなおすことにより、無線通信が行なわれていないと判断されるまで待って接続待ち信号のブロードキャスト送信を行うようにしてもよい。具体的には、ステップＳ３１において、無線信号を受信した場合、無線移動端末１は、ステップＳ３０に戻るステップＳ３０〜Ｓ３２のルーチンを繰り返す。
この場合、他に無線通信が行なわれている時間帯を回避して、ブロードキャスト送信を確実に行うことが出来る効果が得られる。
【００６１】
図９は、接続要求送信状態における処理過程を示すフローチャートである。
接続要求送信状態において、無線移動端末１は、接続要求送信処理を開始する。すなわち、無線移動端末１は、まず接続要求応答信号待ち時間Ｔｕタイマーをセットする（ステップＳ４０）とともに、接続要求応答信号受信時間Ｔｓタイマーをセットする（ステップＳ４１）。そして、無線移動端末１は、接続要求応答信号受信時間Ｔｓが経過するまで、接続要求応答信号受信の有無を確認する（ステップＳ４２、Ｓ４３でＮｏのタイマーループを参照）。接続要求応答信号受信時間Ｔｓ内に、無線移動端末２より接続要求応答信号を受信した場合（ステップＳ４２でＹｅｓ）、無線移動端末１は、接続要求送信処理を終了する。
一方、接続要求応答信号を受信せずに、接続要求応答信号受信時間Ｔｓが経過した場合（ステップＳ４３でＹｅｓ）、無線移動端末１は、接続要求信号送信処理を開始する（ステップＳ４４）。すなわち、無線移動端末１は、接続要求送信処理の直前に受信した接続待ち信号を送信した無線移動端末２に接続要求信号を送信する。
そして、接続要求応答信号待ち時間Ｔｕが経過すると（ステップＳ４５でＹｅｓ）、無線移動端末１は、接続要求送信処理を終了する。一方、接続要求信号送信完了後、接続要求応答信号待ち時間Ｔｕが未だ経過していない場合（ステップＳ４５でＮｏ）、無線移動端末１は、再度、ステップＳ４１に戻って、ステップＳ４１〜Ｓ４５のルーチンを繰り返す。
【００６２】
以上説明したように、本実施形態の無線移動端末１は、接続待ち信号を送信した無線移動端末への接続要求信号送信と、無線移動端末からの接続要求応答信号の受信待ちを交互に繰り返す。そして、無線移動端末から接続要求応答信号を受信した場合は、無線移動端末と接続ができたと判断し、データ通信処理を行う。一方、接続要求応答信号待ち時間Ｔｕを経過しても接続要求応答信号を受信できなかった場合は、無線移動端末との接続が失敗したと判断し、はじめから接続待ちをやり直す。
【００６３】
図１０は、図９に示す接続要求送信状態の処理過程を示すフローチャートにおいて、接続要求応答信号受信時間Ｔｓをランダムに設定する場合のフローチャートを示す。
接続要求送信状態において、無線移動端末１は、接続要求送信処理を開始する。
すなわち、無線移動端末１は、まず接続要求応答信号待ち時間Ｔｕタイマーをセットする（ステップＳ５０）とともに、予め設定されている最小接続要求応答信号受信時間Ｔｓｍｉｎから予め設定されている最大接続要求応答信号受信時間Ｔｓｍａｘ（ただし、Ｔｓｍａｘ＞Ｔｓｍｉｎ）の範囲内でランダムな接続待ち時間Ｔｓの値を生成して（ステップＳ５１）、接続要求応答信号受信時間Ｔｓタイマーをセットする（ステップＳ５２）。なお、このとき、上述した接続待ち信号受信時間Ｔｒは最大接続要求応答信号受信時間Ｔｓｍａｘより大きくなるように設定されるものとする。
【００６４】
そして、無線移動端末１は、接続要求応答信号受信時間Ｔｓが経過するまで、接続要求応答信号受信の有無を確認する（ステップＳ５３、Ｓ５４でＮｏのタイマーループを参照）。接続要求応答信号受信時間Ｔｓ内に、無線移動端末２より接続要求応答信号を受信した場合（ステップＳ５３でＹｅｓ）、無線移動端末１は、接続要求送信処理を終了する。
一方、接続要求応答信号を受信せずに、接続要求応答信号受信時間Ｔｓが経過した場合（ステップＳ５４でＹｅｓ）、無線移動端末１は、接続要求信号送信処理を開始する（ステップＳ５５）。すなわち、無線移動端末１は、接続要求送信処理の直前に受信した接続待ち信号を送信した無線移動端末２に接続要求信号を送信する。
そして、接続要求応答信号待ち時間Ｔｕが経過すると（ステップＳ５６でＹｅｓ）、無線移動端末１は、接続要求送信処理を終了する。一方、接続要求信号送信完了後、接続要求応答信号待ち時間Ｔｕが未だ経過していない場合（ステップＳ５６でＮｏ）、無線移動端末１は、再度、ステップＳ５１に戻って、ステップＳ５１〜Ｓ５６のルーチンを繰り返す。
【００６５】
以上説明したように、本実施形態の無線移動端末１によれば、接続要求応答信号受信時間Ｔｓの値をランダムとすることによって、１つの無線移動端末から無線通信可能な範囲に複数の無線移動端末が存在する場合に、各無線移動端末が接続要求信号を送信するタイミングが継続して一致することを防止することができる効果が得られる。
【００６６】
図１１は、接続要求信号送信状態における処理過程を示すフローチャートである。
接続要求信号送信状態において、無線移動端末１は、接続要求信号送信処理を開始する。すなわち、無線移動端末１は、まずキャリアセンス時間Ｔｔタイマーをセットし（ステップＳ６０）、キャリアセンス時間Ｔｔが経過するまで、無線信号受信の有無を確認（キャリアセンス）する（ステップＳ６１、Ｓ６２でＮｏのタイマーループを参照）。
他の無線通信が行われていることを確認した場合（ステップＳ６１でＹｅｓ）、無線移動端末１は、接続要求信号のブロードキャスト送信を行わず、接続要求信号送信処理を終了する。一方、キャリアセンス時間Ｔｔにおいて、他の無線通信が行われていなかった場合（ステップＳ６２でＹｅｓ）、無線移動端末１は、接続要求信号のブロードキャスト送信を行う。
【００６７】
以上説明したように、本実施形態の無線移動端末１によれば、キャリアセンス後に、接続要求信号のブロードキャスト送信を行うことで、他の無線通信との混信を防止し、複数の無線通信システムの共存を可能とする。
なお、他の無線通信との確率的な混信を許容する場合は、キャリアセンスしないで、単純に接続待ち信号をブロードキャスト送信してもよい。
【００６８】
また、このフローチャートでは、キャリアセンスによって他に無線通信が行なわれていたと判断された場合、接続要求信号のブロードキャスト送信は行なわれないが、図１１に示す記号※の部分を切って記号＊の部分に結合しなおすことにより、無線通信が行なわれていないと判断されるまで待って接続要求信号のブロードキャスト送信を行うようにしてもよい。具体的には、ステップＳ６１において、無線信号を受信した場合、無線移動端末１は、ステップＳ６０に戻るステップＳ６０〜Ｓ６２のルーチンを繰り返す。
この場合、他に無線通信が行なわれている時間帯を回避して、ブロードキャスト送信を確実に行うことが出来る効果が得られる。
【００６９】
以上説明したように、本実施形態の無線移動端末１によれば、待ち受け状態において、常時受信している必要はなく、パワーダウン時間中に送受信回路ともに電源供給を停止する。したがって、無線移動端末の待ち受け状態における消費電力を大幅に低減することができる効果が得られる。
さらに、通信を行う２つの無線移動端末において、先に相手を見つけた無線移動端末と、他方の無線移動端末とで、動作が異なる期間が、短時間であるため、従来の無線ＬＡＮブリッジと無線移動端末との関係とは異なって、ほとんど消費電力の差は生じず、どちらも消費電力を低減することができる効果が得られる。
【００７０】
なお、本実施形態の無線データ通信方法において、１対１の通信を目的とし、３台以上の無線移動端末間で同時に接続待ち状態となる場合については、特に言及しなかったが、本発明は、これに限られず、例えば、複数の無線移動端末間で同時に接続待ち状態となった場合、所定のスケジューリングアルゴリズムを用いて、時分割で、接続待ち状態の無線移動端末との通信処理を行うことが考えられる。
【００７１】
上述の無線移動端末１、２は、内部に、コンピュータシステムを有している。
そして、上述した無線通信処理に関する一連の処理の過程は、プログラムの形式でコンピュータ読み取り可能な記録媒体に記憶されており、このプログラムをコンピュータが読み出して実行することによって、上記処理が行われる。
すなわち、無線移動端末１、２における、各処理手段、処理部は、ＣＰＵ等の中央演算処理装置がＲＯＭやＲＡＭ等の主記憶装置に上記プログラムを読み出して、情報の加工・演算処理を実行することにより、実現されるものである。
ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【００７２】
【図１】本実施形態の無線移動端末１、２の構成図。
【図２】無線通信処理が実行される区間を示す説明図
【図３】無線移動端末１が地点Ａから地点Ｄへ、無線移動端末２が地点Ａ’から地点Ｄ’へ移動する間における状態遷移及び信号送受信タイミングを示すタイムチャート。
【図４】無線移動端末１、２の状態遷移図。
【図５】接続要求送信状態において、接続要求応答信号待ち時間Ｔｕタイマーが終了し、待ち送信状態へ遷移する場合のフローチャート。
【図６】接続待ち送信状態における処理過程を示すフローチャート。
【図７】図６に示す接続待ち送信状態における処理過程を示すフローチャートにおいて、接続待ち時間Ｔｗ、接続待ちパワーダウン時間Ｔｄをランダムに設定する場合のフローチャート。
【図８】接続待ち信号送信状態における処理過程を示すフローチャート。
【図９】接続要求送信状態における処理過程を示すフローチャート。
【図１０】図９に示す接続要求送信状態の処理過程を示すフローチャートにおいて、接続要求応答信号受信時間Ｔｓをランダムに設定する場合のフローチャート。
【図１１】接続要求信号送信状態における処理過程を示すフローチャート。
【符号の説明】
【００７３】
１…自無線移動通信端末
２…他の無線移動通信端末
１００…無線部
１１０…無線信号処理部
１２０…中央処理部
１３０…表示部
１４０…操作部
１５０…記憶部
【図１】
2005051618.tif 000003
【図２】
2005051618.tif 000004
【図３】
2005051618.tif 000005
【図４】
2005051618.tif 000006
【図５】
2005051618.tif 000007
【図６】
2005051618.tif 000008
【図７】
2005051618.tif 000009
【図８】
2005051618.tif 000010
【図９】
2005051618.tif 000011
【図１０】
2005051618.tif 000012
【図１１】
2005051618.tif 000013